(57)【要約】【課題】ディスプレイアームの位置を確実に検出する。【解決手段】ディスプレイアーム２７の他方の端部には、ディスプレイアーム２７の外周側に向かって光を発する発光部３７ａ，３７ｂが設けられている。受光センサ３７ｃ〜３７ｆは、ディスプレイアーム２７に設けられた発光部３７ａ，３７ｂと対向するように、収納ケース３１の内部に設けられている。発光部３７ａ，３７ｂと対向する収納ケース３１の内面３１ａには、突出位置検知センサ３７ｄ〜３７ｆの配設部分を除き、反射防止シート３１ｂが貼り付けられている。これにより、発光部３７ａ、３７ｂの発する光が迷光となって受光センサ３７ｃ〜３７ｆで捉えられることを防止し、ディスプレイアーム２７の位置検出を確実なものにしている。【選択図】図４
2007274118.tif 000002
【特許請求の範囲】
【請求項１】
ケース内を移動可能とする移動体と、
発光素子から射出する光を受光素子が受光して前記移動体の位置を検出する検出手段とを備え、
前記ケース内の前記発光素子から射出する光が反射可能な面に反射抑制処理を施したことを特徴とする携帯表示装置。
【請求項２】
請求項１に記載の携帯表示装置において、
前記ケース内に設けられ、前記移動体を移動可能に支持する支持部と、
前記移動体の移動に応じて前記ケースの内部で一端が変位可能な信号線とをさらに備え、
前記発光素子は前記移動体に設けられ、
前記受光素子は前記ケースに設けられ、
前記発光素子が対向する前記ケースの内面に反射抑制処理を施すことを特徴とする携帯表示装置。
【請求項３】
請求項１に記載の携帯表示装置において、
前記ケース内に設けられ、前記移動体を移動可能に支持する支持部と、
前記移動体に設けられて前記発光素子から射出する光を反射する反射板と、
前記移動体の移動に応じて前記ケースの内部で一端が変位可能な信号線とをさらに備え、
前記発光素子および前記受光素子は前記ケースに設けられ、
少なくとも前記発光素子が対向する前記信号線の表面に反射抑制処理を施すことを特徴とする携帯表示装置。
【請求項４】
請求項２または請求項３に記載の携帯表示装置において、
前記信号線および／または前記ケースの内面であって、少なくも前記移動体の移動に応じて前記信号線の一端が変位した際に前記信号線と前記ケースの内面とが接触する部分には、摩擦係数を低下させる処理を施すことを特徴とする携帯表示装置。
【請求項５】
請求項２〜４のいずれか一項に記載の携帯表示装置において、
前記ケースに設けられる前記発光素子および受光素子の少なくとも１つの表面は、周囲の面と略同一面をなす、もしくは前記周囲の面より凹設されていることを特徴とする携帯表示装置。
【発明の詳細な説明】
【技術分野】
【０００１】
本発明は、使用者の頭部に装着して使用する携帯表示装置に関する。
【背景技術】
【０００２】
従来から、使用者の頭部に装着して使用する携帯表示装置として、たとえば特許文献１に記載された装置のようなニアアイディスプレイまたはヘッドマウントディスプレイと呼ばれる装置が知られている（特許文献１参照）。
【０００３】
この装置では、表示部を支持するディスプレイアームが摺動可能に保持されており、画像を観察する位置までディスプレイアームを前進できる。また、画像を観察しないときにはディスプレイアームが収納部に収納されるようにディスプレイアームを後退できる。この装置では、ディスプレイアーム駆動系の駆動力によってディスプレイアームが前進または後退可能であり、ディスプレイアームの位置を検出するために位置検出センサが設けられている。
【０００４】
【特許文献１】特開２００５−２１５３９３号公報
【発明の開示】
【発明が解決しようとする課題】
【０００５】
位置検出センサとして、たとえば反射板で反射された光を検出する反射型フォトセンサを用いた場合、反射板が設置されていない部分からの反射光の影響を受け、反射型フォトセンサが誤検出する恐れがある。
【課題を解決するための手段】
【０００６】
（１）  請求項１の発明による携帯表示装置は、ケース内を移動可能とする移動体と、発光素子から射出する光を受光素子が受光して移動体の位置を検出する検出手段とを備え、ケース内の発光素子から射出する光が反射可能な面に反射抑制処理を施したことを特徴とする。
（２）  請求項２の発明は、請求項１に記載の携帯表示装置において、ケース内に設けられ、移動体を移動可能に支持する支持部と、移動体の移動に応じてケースの内部で一端が変位可能な信号線とをさらに備え、発光素子は移動体に設けられ、受光素子はケースに設けられ、発光素子が対向するケースの内面に反射抑制処理を施すことを特徴とする。
（３）  請求項３の発明は、請求項１に記載の携帯表示装置において、ケース内に設けられ、移動体を移動可能に支持する支持部と、移動体に設けられて発光素子から射出する光を反射する反射板と、移動体の移動に応じてケースの内部で一端が変位可能な信号線とをさらに備え、発光素子および受光素子は前記ケースに設けられ、少なくとも発光素子が対向する信号線の表面に反射抑制処理を施すことを特徴とする。
（４）  請求項４の発明は、請求項２または請求項３に記載の携帯表示装置において、信号線および／またはケースの内面であって、少なくも移動体の移動に応じて信号線の一端が変位した際に信号線とケースの内面とが接触する部分には、摩擦係数を低下させる処理を施すことを特徴とする。
（５）  請求項５の発明は、請求項２〜４のいずれか一項に記載の携帯表示装置において、ケースに設けられる発光素子および受光素子の少なくとも１つの表面は、周囲の面と略同一面をなす、もしくは周囲の面より凹設されていることを特徴とする。
【発明の効果】
【０００７】
本発明によれば、移動体の位置を確実に検出できる。
【発明を実施するための最良の形態】
【０００８】
以下、本発明に係る携帯表示装置の一実施形態について説明する。
【０００９】
図１は、本実施形態の携帯表示装置（ニアアイディスプレイ装置）２０およびヘッドホン１０を備えたニアアイディスプレイシステムの斜視図である。
【００１０】
ヘッドホン１０は、左右のスピーカ１１Ｌ，１１Ｒと、左右のスピーカ１１Ｌ，１１Ｒ相互を接続するアーム１２と、を備えている。アーム１２の両端部は、ユーザの左右の耳にそれぞれ掛けられるように湾曲しており、耳掛け部１３Ｌ，１３Ｒを形成している。なお、このヘッドホン１０は、ユーザの後頭部にアーム１２を回すリアアーム式のヘッドホンである。
【００１１】
本実施形態のニアアイディスプレイ装置２０は、ユーザの眼前で画像を表示する画像表示部２１と、この画像表示部２１が一方の端部に取り付けられているディスプレイアーム２７と、このディスプレイアーム２７をスライド可能に支持するアーム支持部３０と、このアーム支持部３０をヘッドホンアーム１２に取付可能なアタッチメント４０と、を備えている。
【００１２】
図２および図３は、本実施形態のニアアイディスプレイ装置の要部切り欠き平面図で、図２は、突出位置ｃに画像表示部２１が位置する状態を示し、図３は、画像表示部２１が退避位置ｄに位置する状態を示している。また、図４は、画像表示部２１が退避位置ｄに位置しているときのアーム支持部３０の内部を模式的に示した図である。
【００１３】
ディスプレイアーム２７は、一定の曲率半径Ｒで滑らかに湾曲した中空棒状を成しており、その曲率中心は、このニアアイディスプレイ装置２０をユーザの頭部Ｈに装着した際に、この頭部Ｈ内に存在するようになっている。ディスプレイアーム２７の中心部分の空間には、後述する画像処理部および制御部と画像表示部２１との間で電気信号をやりとりするための信号線であるフレキシブルプリント基板２９が挿通されている。ディスプレイアーム２７の他方の端部には、ディスプレイアーム２７の外周側に向かって光を発する発光部３７ａ，３７ｂが設けられている。発光部３７ａ，３７ｂは、ディスプレイアーム２７の移動方向に沿って間隔を空けて配設されている。
【００１４】
このディスプレイアーム２７は、アーム支持部３０内に収まる退避位置ｄ（図３）と、アーム支持部３０から最も突出した突出位置ｃ（図１，２）との間で、画像表示部２１がこのディスプレイアーム２７の湾曲形状に対応した軌跡Ｂで移動可能にアーム支持部３０に支持されている。
【００１５】
また、画像表示部２１は、ディスプレイアーム２７が突出位置ｃの近傍に存在するときに、画像表示部２１の表示画面がユーザの眼と対向する表示可能位置ａと、この表示画面がユーザの眼の視線方向に対して一定角度以上傾いている非表示位置ｂとの間で、矢印Ａ方向に揺動可能に、ディスプレイアーム２７の端部に取り付けられている。
【００１６】
画像表示部２１は、表示デバイス２２と、この表示デバイス２２が表示した画像をユーザの眼に導くための光学系２３と、この画像表示部２１が前述の表示可能位置であるか非表示位置であるかを検知する表示部位置検知センサ２４と、これらを収納するディスプレイケース２５と、を有している（図２，３）。このディスプレイケース２５には、ディスプレイアーム２７の端部に取り付けられる取付部２６が形成されている。表示部位置検知センサ２４は、光学式センサで、ディスプレイケース２５内に入り込んでいるディスプレイアーム２７の相対位置変化で、画像表示部２１が表示可能位置であるか非表示位置であるかを検知する。
【００１７】
アーム支持部３０は、ディスプレイアーム２７を収納可能な内部空間が形成されている収納ケース３１と、ディスプレイアーム２７をスライド可能に支持するガイドローラ３４ａ，３４ｂと、ディスプレイアーム２７をスライドさせる駆動ローラ３５ａと、この駆動ローラ３５ａを回転させるアーム駆動モータ３５ｂと、受光センサ３７ｃ〜３７ｆとを有している。また、アーム支持部３０は、アーム駆動モータ３５ｂの動作を指示するためのアーム駆動スイッチ３６を有している。
【００１８】
受光センサ３７ｃ〜３７ｆは、ディスプレイアーム２７に設けられた発光部３７ａ，３７ｂと対向するように、収納ケース３１の内部に設けられている（図４）。受光センサ（退避検知センサ）３７ｃは、発光部３７ａ，３７ｂの発する光を検出することでディスプレイアーム２７が前述の退避位置ｄに存在するか否かを検知する。受光センサ（突出位置検知センサ）３７ｄ〜３７ｆは、ディスプレイアーム２７が前述の突出位置ｃの近傍に存在するか否かを検知する。突出位置検知センサ３７ｄ〜３７ｆは、ディスプレイアーム２７の移動方向に沿って間隔を空けて配設されている。
【００１９】
収納ケース３１の内部空間は、ディスプレイアーム２７の湾曲形状に対応して、湾曲している。図４に示すように、収納ケース３１の内面３１ａ、すなわち、発光部３７ａ，３７ｂが対向する面には、突出位置検知センサ３７ｄ〜３７ｆの配設部分を除き、発光部３７ａ，３７ｂの発する光を反射しないように反射防止シート３１ｂが貼り付けられている。反射防止シート３１ｂは、たとえば、つや消し黒色のシート部材であり、発光部３７ａ，３７ｂの発する光を吸収することで反射を防止している。なお、反射防止シート３１ｂを貼り付ける代わりに、たとえば、つや消し黒色の塗料を塗布するなど、光の反射を防止するコートを施してもよい。
【００２０】
このように、発光部３７ａ，３７ｂが対向する面、すなわち、発光部３７ａ，３７ｂから射出する光が反射する面に反射防止シート３１ｂを貼り付けることで、発光部３７ａ、３７ｂの発する光が迷光となって受光センサ３７ｃ〜３７ｆで捉えられることを防止し、ディスプレイアーム２７の位置検出を確実なものにしている。
【００２１】
アーム駆動スイッチ３６および各センサ３７ｃ〜３７ｆは、収納ケース３１の内部空間に面した表面部分が、反射防止シート３１ｂが貼り付けられた収納ケース３１の内面３１ａから突出しないように、収納ケース３１に埋め込まれるように配設されている。すなわち、収納ケース３１の内部に面したアーム駆動スイッチ３６および各センサ３７ｃ〜３７ｆの表面は、周囲の面と略同一面をなす。換言すると、アーム駆動スイッチ３６および各センサ３７ｃ〜３７ｆの、収納ケース３１の内部空間に面した表面部分の高さ位置は、収納ケース３１の内部空間に面した反射防止シート３１ｂの表面の高さ位置に略等しい。ディスプレイアーム２７の他方の端部からアーム支持部３０の内部に露出しているフレキシブルプリント基板２９は、フッ素樹脂などのように摩擦係数の低い材質からなるシート部材２９１，２９２で挟まれている。
【００２２】
このように、収納ケース３１の内側に突出しないようにアーム駆動スイッチ３６および各センサ３７ｃ〜３７ｆを配設しているので、ディスプレイアーム２７の移動に伴ってフレキシブルプリント基板２９が収納ケース３１の内面に接触しても、引っかかりが生じることがない。また、フレキシブルプリント基板２９が収納ケース３１の内面に向かってふくらむように曲げられても、フレキシブルプリント基板２９がシート部材２９１，２９２で保護されるので、フレキシブルプリント基板２９が傷つくことがない。シート部材２９１，２９２は摩擦係数が低いので、収納ケース３１の内面と接触して摺動しても、摩擦抵抗が低く、ディスプレイアーム２７の移動の妨げとならない。シート部材２９１，２９２はフレキシブルプリント基板２９の補強材としての機能も有する。なお、黒色の顔料で着色されたフッ素樹脂のように、低摩擦係数で光の反射を抑止できる素材であれば、反射防止シート３１ｂとシート部材２９１，２９２とが同じ材質のものであってもよい。
【００２３】
収納ケース３１の一方の端部（以下、前端とする）側には、ディスプレイアーム２７が出入りするアーム挿入口３２が形成され、他方の端部（以下、後端とする）側に逃げ部３３が形成されている。この逃げ部３３は、アタッチメント４０をヘッドホンアーム１２に結合させた際、ヘッドホン１０のスピーカ１１Ｌ又は１１Ｒと収納ケース３１とが干渉し合うのを回避するために、ヘッドホンアーム１２から遠ざける方向に伸びている部分である。収納ケース３１のアーム挿入口３２近傍で、ディスプレイアーム２７の移動経路Ｂに沿った位置には、ディスプレイアーム２７を挟み込むように一対のガイドローラ３４ａ，３４ｂが二箇所に設けられている。駆動ローラ３５ａは、前端部側のガイドローラ３４ａと後端部側のガイドローラ３４ｂとの間であって、湾曲しているディスプレイアーム２７の内周側、言い換えると、ユーザの頭部側に設けられている。
【００２４】
図２および図３に示すように、収納ケース３１の逃げ部３３には、変位機構５０が設けられている。この変位機構５０は、アタッチメント４０に対する画像表示部２１の相対的な位置および向きを変えるもので、アタッチメント４０に設けられたボール５１と、収納ケース３１の逃げ部３３に形成されたボール受け部５２と、を有して構成されている。ボール５１とボール受け部５２との間には、一定以上の摩擦力が作用しており、ボール５１に対して、ボール受け部５２に一定以上の回転力が作用しない限り、このボール５１に対して、ボール受け部５２が相対回転できないようになっている。
【００２５】
このように、変位機構５０をボール５１とボール受け部５２とを有して構成することにより、三次元空間内の独立した３軸の各軸回りで、アーム支持部３０およびこのアーム支持部３０に支持されているディスプレイアーム２７、さらにこのディスプレイアーム２７に取り付けられている画像表示部２１を変位させることができる。
【００２６】
なお、この変位機構５０は、アーム支持部３０から画像表示部２１までの間に設けても、支持部３０中に設けてもよい。但し、変位機構５０自体に重量があるため、アタッチメント４０を基準するモーメントをできる限り減らす意味で、本実施形態のように、アタッチメント４０とアーム支持部３０との間に変位機構を設けることが好ましい。また、本実施形態では、ボール５０をアタッチメント４０側に形成したが、ボール５０を収納ケース３１側に形成し、ボール受け部５２をアタッチメント４０側に形成してもよいことは言うまでもない。
【００２７】
また、ヘッドホンが、ニアアイディスプレイ装置専用品であれば、ヘッドホンの左右のスピーカに被取付部を形成し、左右の被取付部のそれぞれにニアアイディスプレイ装置のアタッチメントを取り付けられるようにしてもよい。この被取付部としては、スピーカの耳接触側と反対側に、たとえば雄ネジを形成したものであってもよく、この際のアタッチメントは、この雄ネジに対応した雌ネジを形成したものであってもよい。そして、このようなアタッチメントと収納ケースとの間に、以上の変位機構５０を設けてもよい。
【００２８】
図５は、ニアアイディスプレイシステムの回路構成図である。
【００２９】
アーム支持部３０の収納ケース３１には、前述した、駆動ローラ３５ａ、アーム駆動モータ３５ｂ、退避検知センサ３７ｃ、突出位置検知センサ３７ｄ〜３７ｆと、アーム駆動スイッチ３６の他、制御部３８と、画像処理部３９と、が設けられている。また、上述のように、ディスプレイアーム２７には発光部３７ａ，３７ｂが設けられている。制御部３８は、各センサ２４，３７ｃ〜３７ｆおよびアーム駆動スイッチ３６からの信号に応じてアーム駆動モータ３５ｂおよび発光部３７ａ，３７ｂを制御する。画像処理部３９は、外部コントローラＣからの信号に応じて、画像表示部２１の表示デバイス２２に画像信号を送信する。
【００３０】
なお、ヘッドホン１０には、外部コントローラＣから独自の信号線で音声信号を送ってもよいが、外部コントローラＣからニアアイディスプレイ装置２０を介してヘッドホン１０に音声信号を送るようにしてもよい。また、逆に、外部コントローラＣからヘッドホン１０に対して、音声信号の他に、画像信号や制御信号等を送り、これらのうち、画像信号や制御信号等をヘッドホン１０からニアアイディスプレイ装置２０に送るようにしてもよい。このように、ヘッドホン１０とニアアイディスプレイ装置２０とのうち、一方に、全ての信号等を送り、そこから他方へ必要な信号等を送る場合には、両者を電気的に接続するため、切断可能な電気的接続部を両者に設ける必要がある。
【００３１】
次に、本実施形態におけるニアアイディスプレイ装置２０の操作およびそのときの動作について説明する。
【００３２】
まず、ニアアイディスプレイ装置２０のアタッチメント４０をヘッドホンアーム１２に、前述したように結合する。そして、このニアアイディスプレイ装置２０が結合したヘッドホン１０を頭部に装着する。なお、この際、ニアアイディスプレイ装置２０は、図３に示すように、その画像表示部２１が非表示位置ｂに存在し、ディスプレイアーム２７が退避位置ｄに存在している。
【００３３】
ニアアイディスプレイ装置２０のアーム駆動スイッチ３６が押圧されると、アーム駆動スイッチ３６からのオンオフ信号が制御部３８に出力される。制御部３８は、アーム駆動スイッチ３６からのオンオフ信号を受信すると、発光部３７ａ，３７ｂを発光させるように信号を出力するとともに、アーム駆動モータ３５ｂにアーム駆動制御信号を出力して、アーム駆動モータ３５ｂを駆動する。これにより、図６に示すように、ディスプレイアーム２７が繰り出されて突出し始める。このときの制御部３８によるアーム駆動モータ３５ｂの制御モードをドライブモードと呼ぶ。
【００３４】
なお、図６および後述する図７〜９では、アーム支持部３０の内部を模式的に示し、ヘッドホン１０等の記載は省略している。図６〜９において、発光部３７ａ，３７ｂから紙面右側に向かって破線で示した範囲３７１ａ，３７１ｂは、発光部３７ａ，３７ｂの発する光の照射範囲である。各照射範囲３７１ａ，３７１ｂは、収納ケース３１の内面３１ａで互いに重なり合わないように離間している。これは、ディスプレイアーム２７とともに移動する発光部３７ａ，３７ｂが各センサ３７ｃ〜３７ｆの近傍を通過した際に、発光部３７ａ，３７ｂから発するそれぞれの光によって、各センサ３７ｃ〜３７ｆから検出信号を出力させるためである。上述のように、収納ケース３１の内面３１ａに反射防止シート３１ｂが貼り付けられているので、各照射範囲３７１ａ，３７１ｂから外れた位置では、各センサ３７ｃ〜３７ｆが発光部３７ａ，３７ｂから発する光を受光することはない。
【００３５】
また、各照射範囲３７１ａ，３７１ｂの収納ケース３１の内面３１ａにおける投影面積は、配設された各センサ３７ｃ〜３７ｆの受光領域（不図示）よりも広くなるように設定されている。すなわち、発光部３７ａ，３７ｂと各センサ３７ｃ〜３７ｆとが最も接近したとき、発光部３７ａ，３７ｂが発した光は、各センサ３７ｃ〜３７ｆの受光領域およびこの受光領域の周囲の領域を照射する。これは、ガイドローラ３４ａ，３４ｂとディスプレイアーム２７との間の隙間に起因するディスプレイアーム２７のがたつきによって発光部３７ａ，３７ｂの向きがずれても、発光部３７ａ，３７ｂから発するそれぞれの光を各センサ３７ｃ〜３７ｆで確実に検出させるためである。
【００３６】
ディスプレイアーム２７が繰り出されて、図７に示すように発光部３７ｂの照射範囲３７１ｂが突出位置検知センサ３７ｄに到達すると、すなわち、突出位置検知センサ３７ｄで発光部３７ｂの発する光を受光すると、突出位置検知センサ３７ｄは検出信号を制御部３８に送信する。制御部３８は、突出位置検知センサ３７ｄからの検出信号を受信すると、アーム駆動モータ３５ｂを減速して駆動するようにアーム駆動モータ３５ｂにアーム駆動制御信号を出力する。すなわち、ドライブモードにおいてアーム駆動モータ３５ｂの駆動速度が変速可能である。これにより、ディスプレイアーム２７の突出速度が減速されるが、ディスプレイアーム２７の繰り出しは継続される。
【００３７】
その後、図８に示すように発光部３７ａの照射範囲３７１ａが突出位置検知センサ３７ｄに到達すると、すなわち、突出位置検知センサ３７ｄで発光部３７ａの発する光を受光すると、突出位置検知センサ３７ｄは再び検出信号を制御部３８に送信する。
【００３８】
制御部３８は、突出位置検知センサ３７ｄからの２回目の検出信号を受信すると、電気的にブレーキを掛けてアーム駆動モータ３５ｂを停止するようにアーム駆動モータ３５ｂにアーム駆動制御信号を出力する。このときの制御部３８によるアーム駆動モータ３５ｂの制御モードをブレーキモードと呼ぶ。ブレーキモードに移行して所定時間経過後、電気的なブレーキを解除して、外力によってアーム駆動モータ３５ｂが回動可能な状態となるようにアーム駆動制御信号を出力する。このときの制御部３８によるアーム駆動モータ３５ｂの制御モードをフリーモードと呼ぶ。これにより、図８に示すように、発光部３７ａと突出位置検知センサ３７ｄとが対面する位置でディスプレイアーム２７が停止するが、ユーザがディスプレイアーム２７を把持して長手方向に力を加えることで、ディスプレイアーム２７を任意の位置に移動可能である。
【００３９】
なお、上述の説明では、制御部３８は、突出位置検知センサ３７ｄからの検出信号に基づいてアーム駆動モータ３５ｂを制御しているが、突出位置検知センサ３７ｅまたは突出位置検知センサ３７ｆからの検出信号に基づいて同様の制御を行うこともできる。いずれの突出位置検知センサ３７ｄ〜３７ｆで上述したアーム駆動モータ３５ｂの制御を行うかについては、ユーザによる所定の設定操作によって選択できるように構成されている。
【００４０】
このように、ディスプレイアーム２７が退避位置ｄに存在しているときにアーム駆動スイッチ３６が押圧されると、位置検知センサ３７ｄ〜３７ｆのうちあらかじめ選択されたいずれかの位置検知センサと発光部３７ａとが対面する位置まで、すなわち、突出位置ｃの近傍までディスプレイアーム２７が突出して停止する。また、この停止位置からディスプレイアーム２７の長手方向の任意の位置にディスプレイアーム２７を手動で移動可能である。
【００４１】
したがって、上述したアーム駆動モータ３５ｂの制御をいずれの突出位置検知センサ３７ｄ〜３７ｆで行うかをユーザが適宜設定することで、アーム駆動スイッチ３６の一回の押圧操作で、ユーザが画像表示部２１を使用する位置の近傍までディスプレイアーム２７を突出させることができる。これにより、ユーザごとの頭部形状の相違を吸収して、ディスプレイアーム２７の突出量を適切化でき、手動で行うディスプレイアーム２７の突出量の微調整時に、手動での移動量を低減できる。
【００４２】
外部コントローラＣは、位置検知センサの出力に応じて制御部３８から出力された信号を受信することにより、ニアアイディスプレイ装置２０が画像信号を送信可能な状態になったことを認識する。ここで外部コントローラＣの再生ボタンが押圧されると、外部コントローラＣから画像信号が画像処理部３９に送られ、画像処理部３９から画像表示部２１の表示デバイス２２に画像信号が送られて、この画像信号に基づく画像が再生される。
【００４３】
また、外部コントローラＣの再生ボタンが押圧されると、外部コントローラＣから音声信号がヘッドホン１０のスピーカ１１Ｌ，１１Ｒに出力される。なお、上述したようにアーム駆動スイッチ３６の押圧操作の代わりに、外部コントローラＣの再生ボタンの押圧操作によって、外部コントローラＣから最初にアーム駆動制御信号を制御部３８に送信し、上述した一連の動作を行わせるようにしてもよい。
【００４４】
画像再生を中止するときには、ニアアイディスプレイ装置２０のアーム駆動スイッチ３６が押圧する。すると、アーム駆動スイッチ３６からのオンオフ信号が制御部３８に出力される。制御部３８は、アーム駆動スイッチ３６からのオンオフ信号を受信すると、アーム駆動モータ３５ｂにアーム駆動制御信号を出力して、ディスプレイアーム２７を退避させるようにアーム駆動モータ３５ｂを駆動する。これにより、ディスプレイアーム２７が退避し始める。
【００４５】
ディスプレイアーム２７が退避されて、発光部３７ａの照射範囲３７１ａが退避検知センサ３７ｃに到達すると、すなわち、退避検知センサ３７ｃで発光部３７ａの発する光を受光すると、退避検知センサ３７ｃは検出信号を制御部３８に送信する。制御部３８は、退避検知センサ３７ｃからの検出信号を受信すると、アーム駆動モータ３５ｂを減速して駆動するようにアーム駆動モータ３５ｂにアーム駆動制御信号を出力する。これにより、ディスプレイアーム２７の退避速度が減速されるが、ディスプレイアーム２７の退避は継続される。
【００４６】
ディスプレイアーム２７がさらに退避されると、発光部３７ａの照射範囲３７１ａが退避検知センサ３７ｃの受光領域から外れる。その後、図９に示すように発光部３７ｂの照射範囲３７１ｂが退避検知センサ３７ｃに到達すると、すなわち、退避検知センサ３７ｃで発光部３７ｂの発する光を受光すると、退避検知センサ３７ｃは再び検出信号を制御部３８に送信する。
【００４７】
制御部３８は、退避検知センサ３７ｃからの２回目の検出信号を受信すると、電気的にブレーキを掛けてアーム駆動モータ３５ｂを停止するようにアーム駆動モータ３５ｂにアーム駆動制御信号を出力する。なお、所定時間経過後、電気的なブレーキを解除して、外力によってアーム駆動モータ３５ｂが回動可能な状態となるようにアーム駆動制御信号を出力してもよい。これにより、図９に示すように、発光部３７ｂと退避検知センサ３７ｃとが対面する位置、すなわち退避位置ｄでディスプレイアーム２７が停止する。
【００４８】
また、制御部３８は、退避検知センサ３７ｃからの２回目の検出信号を受信すると、ディスプレイアーム２７が退避位置ｄに至ったこと示す信号を画像処理部３９および外部コントローラＣに出力する。そして、画像表示部２１のバックライトを消灯するように画像表示部２１へ信号を出力する。外部コントローラＣは、制御部３８からディスプレイアーム２７が退避位置ｄに至ったこと示す信号を受信することにより、映像信号の送信を中止する。
【００４９】
上述した本実施形態のニアアイディスプレイ装置２０およびヘッドホン１０を備えたニアアイディスプレイシステムでは、次の作用効果を奏する。
（１）  発光部３７ａ，３７ｂから射出する光が反射する面に反射防止シート３１ｂを貼り付けたことで、発光部３７ａ、３7bの発する光が迷光となって受光センサ３７ｃ〜３７ｆで捉えられることを防止できるので、確実にディスプレイアーム２７の位置を検出できる。
【００５０】
（２）  発光部３７ａ，３７ｂを移動するディスプレイアーム２７に設け、受光センサ３７ｃ〜３７ｆを収納ケース３１に設けるように構成した。これにより、ディスプレイアーム２７の位置を検出する場所（位置検出点の数）が増えても、発光部３７ａ，３７ｂは増えないので、発光のための消費電力を抑制でき、ニアアイディスプレイ装置２０の駆動時間を延長できる。
【００５１】
（３）  ディスプレイアーム２７の他方の端部からアーム支持部３０の内部に露出しているフレキシブルプリント基板２９を摩擦係数の低いシート部材２９１，２９２で挟んだので、フレキシブルプリント基板２９が収納ケース３１の内面に向かってふくらむように曲げられても、フレキシブルプリント基板２９が傷つかない。シート部材２９１，２９２は摩擦係数が低いので、収納ケース３１の内面と接触して摺動しても、摩擦抵抗が低く、ディスプレイアーム２７の移動の妨げとならない。また、シート部材２９１，２９２がフレキシブルプリント基板２９の補強材としても機能するので、フレキシブルプリント基板２９の耐久性が向上し、ニアアイディスプレイ装置２０の信頼性が向上する。
【００５２】
（４）  収納ケース３１の内側に突出しないようにアーム駆動スイッチ３６および各センサ３７ｃ〜３７ｆを配設しているので、ディスプレイアーム２７の移動に伴ってフレキシブルプリント基板２９が収納ケース３１の内面に接触しても、引っかかりが生じることがなく、ディスプレイアーム２７の移動がスムーズになる。また、フレキシブルプリント基板２９を痛めることがなく、フレキシブルプリント基板２９の耐久性が向上し、ニアアイディスプレイ装置２０の信頼性が向上する。
【００５３】
−−−変形例−−−
（１）  上述の説明では、ディスプレイアーム２７に発光部３７ａ，３７ｂを設け、発光部３７ａ，３７ｂと対向するように、受光センサ３７ｃ〜３７ｆを収納ケース３１の内部に設けているが、本発明はこれに限定されない。たとえば、図１０に示すように、受光センサ３７ｃ〜３７ｆの代わりに、発光部と受光部が一体的に配設された反射型のフォトセンサ１３７ｃ〜１３７ｆを設け、フォトセンサ１３７ｃ〜１３７ｆと対向するようにディスプレイアーム２７に反射板１３７ａを設けてもよい。この場合、ディスプレイアーム２７が繰り出されたときにフォトセンサ１３７ｃ〜１３７ｆと対向するフレキシブルプリント基板２９の一方の面に反射防止シート３９１を添わせ、フレキシブルプリント基板２９の他方の面に摩擦係数の低いシート部材２９２を添わせることで、反射防止シート３９１およびシート部材２９２でフレキシブルプリント基板２９を挟み込む。また、収納ケース３１の内面３１ａには、摩擦係数の低いシート部材２９３を貼り付ける。
【００５４】
このように、フォトセンサ１３７ｃ〜１３７ｆ側に対向することとなるフレキシブルプリント基板２９の一方の面に反射防止シート３９１を添わせることで、フォトセンサ１３７ｃ〜１３７ｆの発光部の発する光が迷光となってフォトセンサ１３７ｃ〜１３７ｆの受光部で捉えられることを防止し、ディスプレイアーム２７の位置検出を確実なものにしている。
【００５５】
収納ケース３１の内部に面したアーム駆動スイッチ３６および各センサ１３７ｃ〜１３７ｆの表面は、周囲の面と略同一面をなすので、ディスプレイアーム２７の移動に伴ってフレキシブルプリント基板２９が収納ケース３１の内面に接触しても、引っかかりが生じることがない。また、フレキシブルプリント基板２９が収納ケース３１の内面に向かってふくらむように曲げられても、フレキシブルプリント基板２９が反射防止シート３９１およびシート部材２９２で保護されるので、フレキシブルプリント基板２９が傷つくことがない。シート部材２９２，２９３は摩擦係数が低いので、収納ケース３１の内面と接触して摺動しても、摩擦抵抗が低く、ディスプレイアーム２７の移動の妨げとならない。なお、反射防止シート３９１およびシート部材２９２はフレキシブルプリント基板２９の補強材としての機能も有する。
【００５６】
このように構成することによっても、上述した実施の形態と同様の作用効果を奏する。
【００５７】
（２）  上述の説明では、収納ケース３１の内部に面したアーム駆動スイッチ３６および各センサ３７ｃ〜３７ｆ，１３７ｃ〜１３７ｆの表面は、周囲の面と略同一面をなすが、本発明はこれに限定されない。収納ケース３１の内部に面したアーム駆動スイッチ３６および各センサ３７ｃ〜３７ｆ，１３７ｃ〜１３７ｆの表面は、周囲の面より凹設されていてもよい。すなわち、ディスプレイアーム２７の移動に伴ってフレキシブルプリント基板２９とともにシート部材２９１や反射防止シート３９１が収納ケース３１の内面に向かってふくらむように曲げられても、シート部材２９１や反射防止シート３９１がアーム駆動スイッチ３６および各センサ３７ｃ〜３７ｆ，１３７ｃ〜１３７ｆに引っかからなければよい。なお、アーム駆動スイッチ３６および各センサ３７ｃ〜３７ｆ，１３７ｃ〜１３７ｆのうちシート部材２９１や反射防止シート３９１が接触する恐れのあるものだけを周囲の面と略同一面をなすか周囲の面より凹設されるように配設してもよい。
【００５８】
（３）  なお、制御部３８がアーム駆動モータ３５ｂを制御する場合、図１１に示すように、ディスプレイアーム２７に設けられる発光部は１つだけでもよい。この場合は、受光部３７ｃや受光部３７ｄ，３７ｅ，３７ｆで受光をしたら、直ちにブレーキ制御を行う。または、受光部３７ｃや受光部３７ｄ，３７ｅ，３７ｆで受光をしたら、減速制御とブレーキ制御とを順次行ってもよい。
【００５９】
（４）  上述の説明では、受光センサ３７ｃ〜３７ｆと発光部３７ａ，３７ｂとは対向するように設けられているが、本発明はこれに限定されない。受光センサ３７ｃ〜３７ｆと発光部３７ａ，３７ｂとが対向するように設けられていなくても、たとえば、透明な部材からなる導光ロッドや光ファイバなどのように発光部３７ａ，３７ｂの発する光を導く部材を用いて、発光部３７ａ，３７ｂの発する光を受光センサ３７ｃ〜３７ｆで受光できるように構成してもよい。
【００６０】
（５）  上述の説明では、リアアーム式のヘッドホン１０を対象にしているが、本発明は、これに限定されるものではなく、ユーザの頭頂部にアームを回すヘッドアーム式のものに適用してもよい。また、上述の説明では、スピーカを具備するヘッドホンを対象にしているが、ユーザの頭部を左右から挟み込んで頭部に装着されるアームを備えている頭部装着装置であれば、スピーカを備えていなくても、本発明を適用してもよい。  
（６）  上述した各実施の形態および変形例は、それぞれ組み合わせてもよい。
【００６１】
なお、本発明は、上述した実施の形態のものに何ら限定されず、移動体の位置検出に用いられる発光素子から射出する光が反射する面に反射抑制処理を施した各種の携帯表示装置を含むものである。
【図面の簡単な説明】
【００６２】
【図１】本発明に係る一実施形態としてのニアアイディスプレイシステムの斜視図である。
【図２】本発明に係る一実施形態としてのニアアイディスプレイシステム（突出位置の状態）の要部切欠き平面図である。
【図３】本発明に係る一実施形態としてのニアアイディスプレイシステム（退避位置の状態）の要部切欠き平面図である。
【図４】画像表示部２１が退避位置ｄに位置しているときのアーム支持部３０の内部を模式的に示した図である。
【図５】本発明に係る一実施形態としてのニアアイディスプレイ装置の回路ブロック図である。
【図６】ディスプレイアーム２７が繰り出されているときのアーム支持部３０の内部を模式的に示した図である。
【図７】発光部３７ｂの照射範囲３７１ｂが突出位置検知センサ３７ｄに到達したときのアーム支持部３０の内部を模式的に示した図である。
【図８】発光部３７ａの照射範囲３７１ａが突出位置検知センサ３７ｄに到達したときのアーム支持部３０の内部を模式的に示した図である。
【図９】発光部３７ｂの照射範囲３７１ｂが退避検知センサ３７ｃに到達したときのアーム支持部３０の内部を模式的に示した図である。
【図１０】変形例を示す図である。
【図１１】変形例を示す図である。
【符号の説明】
【００６３】
１０  ヘッドホン                            １２  アーム
２０  ニアアイディスプレイ装置              ２１  画像表示部
２７  ディスプレイアーム                    ３０  アーム支持部
３１  収納ケース                            ３１ａ  内面
３１ｂ，３９１  反射防止シート              ３５ｂ  アーム駆動モータ
３６  アーム駆動スイッチ                    ３７ａ，３７ｂ  発光部
３７ｃ  受光センサ（退避検知センサ）
３７ｄ〜３７ｆ  受光センサ（突出位置検知センサ）
３８  制御部                                ３９  画像処理部
１３７ａ  反射板                            １３７ｃ〜１３７ｆ  フォトセンサ
２９１〜２９３  シート部材
【図１】
2007274118.tif 000003
【図２】
2007274118.tif 000004
【図３】
2007274118.tif 000005
【図４】
2007274118.tif 000006
【図５】
2007274118.tif 000007
【図６】
2007274118.tif 000008
【図７】
2007274118.tif 000009
【図８】
2007274118.tif 000010
【図９】
2007274118.tif 000011
【図１０】
2007274118.tif 000012
【図１１】
2007274118.tif 000013